(57)【要約】【課題】  使用上安全であるとともに使用する長さ分だけ引き出したペーパーを左右いずれの方向に引き上げる操作でカットする場合でも、片手で容易かつ確実に切り取ることができるロールペーパーホルダーを提供する。【解決手段】  ロールペーパーホルダー１は、ロールペーパーを装填してその巻き端から順次所要の長さ分だけ引き出して切り取るためのものである。ロールペーパーホルダー１は、ロールペーパーの巻き芯部を嵌める支持筒２と、支持筒２に備えた揺動レバー３とで構成される。揺動レバー３はカットバー６を備えるとともに、カットバー６には丸みを帯びた形状の刃７が波形に連続している。【選択図】  図１
2012065929.tif 000002
【特許請求の範囲】
【請求項１】
ロールペーパーを装填してその巻き端から順次所要の長さ分だけ引き出して切り取るロールペーパーホルダーであって、
ロールペーパーの巻き芯部を嵌める支持筒と、前記支持筒に備えた揺動レバーとで構成され、
前記揺動レバーはカットバーを備えるとともに、カットバーには丸みを帯びた形状の刃が波形に連続している
ことを特徴とするロールペーパーホルダー。
【請求項２】
前記カットバーは、刃先側からみて山形に逆Ｖ字状をなす形状であることを特徴とする請求項１記載のロールペーパーホルダー。
【発明の詳細な説明】
【技術分野】
【０００１】
本発明は、トイレットペーパーなどのロールペーパーを装填してその巻き端から順次所要の長さ分だけ引き出して切り取るロールペーパーホルダーに関するものである。
【背景技術】
【０００２】
ホルダー本体に装填したロールペーパーの巻き端の垂れ下がった部分を摘んで手前側に使用長さ分だけ引き出し、ホルダー本体の手前側下部に位置するカッター部に引っ掛けて片手操作で切り取ることができるようにしたトイレットペーパーホルダーは、特開平８−２８０５７７号公報に記載されている。
また、ロールペーを装填する支持軸をその基端を固定してあって先端を開放状態とした片持ち構造のロールペーパーホルダーは、従来から種々のものが提案されている（例えば、特開２０００−２３７０９２号公報、特開２０００−９３３４６号公報、特開２００１−７８９２１公報公報、特開２００１−３６０号公報、実開平５−８２３９５号公報および実用新案登録第３０４２７１４号公報参照）。
【先行技術文献】
【特許文献】
【０００３】
【特許文献１】特開平８−２８０５７７号公報
【特許文献２】特開２０００−２３７０９２号公報
【特許文献３】特開２０００−９３３４６号公報
【特許文献４】特開２００１−７８９２１号公報
【特許文献５】特開２００１−３６０号公報
【特許文献６】実開平５−８２３９５号公報
【特許文献７】実用新案登録第３０４２７１４号公報
【発明の概要】
【発明が解決しようとする課題】
【０００４】
前掲の特開２０００−２３７０９２号公報において紹介されているロールペーパーホルダーによれば、支持軸の開放端からロールペーパーを簡便に装填することができ、しかも使用する長さ分を引き出したペーパーをカットバーに当てて引き上げることによりカットできるので、ロールペーパーの引き出しとカッティングとを片手でもできるが、片手での操作ではやはりロールペーパーを切りにくいのも実情である。
すなわち、ロールペーパーの引き出しとカッティング操作は、ロールペーパーの軸心に対して一方向に限られるので、ペーパーホルダーの取付態様や場所の状況、あるいは使用者の身障度合や状態によっては、使い勝手が必ずしも良いとはいえないものである。
【０００５】
また、カットバーは鋸歯状の刃部を設けてあるのでロールペーパーの切れ味は良好であるとしても、刃部はその刃先が鋭いので使用上の安全面での問題点も指摘されている。
【０００６】
そこで本発明は、このような問題点を解消しようとするものであって、ロールペーパーの巻き芯部を嵌める支持筒に備えた揺動レバーは、カットバーを備えていて、カットバーを丸みを帯びた形状の刃が波形に連続したものとすることにより、使用上安全であるとともに使用する長さ分だけ引き出したペーパーを左右いずれの方向に引き上げる操作でカットする場合でも、片手で容易かつ確実に切り取ることができるロールペーパーホルダーを提供することを目的とするものである。
【課題を解決するための手段】
【０００７】
上記目的を達成する本発明の請求項１係るロールペーパーホルダーは、ロールペーパーを装填してその巻き端から順次所要の長さ分だけ引き出して切り取るロールペーパーホルダーであって、
ロールペーパーの巻き芯部を嵌める支持筒と、前記支持筒に備えた揺動レバーとで構成され、
前記揺動レバーはカットバーを備えるとともに、カットバーには丸みを帯びた形状の刃が波形に連続している
ことを特徴とするものである。
【０００８】
そして、本発明の請求項２に係るロールペーパーホルダーは、前記構成において、前記カットバーは、刃先側からみて山形に逆Ｖ字状をなす形状であることを特徴とするものである。
【発明の効果】
【０００９】
本発明に係るロールペーパーホルダーによれば、カットバーを備えていて、カットバーは丸みを帯びた形状の刃が波形に連続したものとしたので、使用上安全であるとともに使用する長さ分だけ引き出したペーパーを左右いずれの方向に引き上げる操作でカットする場合でも、片手で容易かつ確実に切り取ることができる効果が得られるものである。
【図面の簡単な説明】
【００１０】
【図１】本発明の実施の形態に係るロールペーパーホルダーであって右手使用に便利なものの全体斜視図である。
【図２】同上一部の正面図およびさらに細線円内部分の詳細斜視図である。
【図３】同上カットバーの他例をそれぞれ示す正面図である。
【図４】カットバーの他例を示す正面図である。
【図５】本発明の実施の形態に係るロールペーパーホルダーであって左手使用に便利なものの全体斜視図である。
【発明を実施するための形態】
【００１１】
図１および図２に示すように、１はロールペーパーホルダーである。このロールペーパーホルダー１は、ロールペーパーの芯部を一方側から挿通して嵌める円筒状の支持筒２と、前記支持筒２に備えられている揺動レバー３とで構成されている。４は天面カバー部、５は壁面取付部である。天面カバー部４は平坦面をなしているので小物置きの台などになって便利である。
【００１２】
前記揺動レバー３には、前記支持筒２と略平行に対応するカットバー６を備えている。カットバー６は丸みを帯びた形状の刃７が波形に連続しているものである。揺動バー３の先端には玉状の止め部材８が取り付けられている。この止め部材８はロールペーパーをカットバー６にあててカットする際の滑り出しを止めるためのものである。なお、揺動レバー３の先端に前記玉状の止め部材８を、かつ基端部に止め突起９を形成してもよく、先端および基端の両方に止め部材９，９を形成してもよい。
前記カットバー６は、図４に示すように刃先側からみて山形に逆Ｖ字状をなす形状とするのが、左右いずれの方向に引き上げる操作をカットする場合でもロールペーパーの切れ味を良くするうえで好適である(図４参照）。逆Ｖ字状をなす角度は３°〜５°程度であることが良好な切れ味を確保することと使用上の案洗面でも好ましい。
なお、カットバー６は山形に弯曲する形状とすることもできる。
【００１３】
本発明に係るロールペーパーホルダ１は、図１に示すように左手使用に便利な形態のほか、図５に示すようにそれと左右対称的な右手使用に便利な形態にも構成することができる。なお、図１のものと図５のものは互いに左右対称となるだけで同構成である。
【符号の説明】
【００１４】
１  ロールペーパーホルダー
２  支持筒
３  揺動レバー
４  天面カバー部
５  壁面取付部
６  カットバー
７  丸みを帯びた形状の刃
８  玉状の止め部材
９，９  止め突起
【図１】
2012065929.tif 000003
【図２】
2012065929.tif 000004
【図３】
2012065929.tif 000005
【図４】
2012065929.tif 000006
【図５】
2012065929.tif 000007